(57)【要約】【課題】排雪板の強度を充分確保可能で、雪をブロワーによって投雪する除雪作業や排雪板による作業がそれぞれ効率よく行える性能の良い除雪機を提供する。【解決手段】排雪板６がオーガーハウジングの上方に位置する排雪板被作業状態のとき、左右の回動アーム６０の前方へ向いた端縁６００部は、オーガーハウジングの左右側板前端部より前方に位置し、回動アーム６０の端縁外側からオーガーハウジング内側且つ進行方向後方側に向け傾斜している傾斜面６０１を有していることを特徴とした除雪機による。【選択図】      図６
2015187340.tif 000002
【特許請求の範囲】
【請求項１】
前方に向かって開口するオーガーハウジングを設け、オーガーハウジング内の回転するオーガーによって中央部に集雪した雪を、その後方で回転駆動されるブロワーで投雪する除雪部を機体前部に設けた除雪機において、除雪部の前方部に除雪用排雪板が配置可能となっていて、排雪板は、除雪部前方に位置した排雪板作業状態と、オーガーハウジングの上方部に位置する排雪板被作業状態とに切換え可能で、切換は、排雪板から左右それぞれ延設され、オーガーハウジングの左右側板外側部に上下回動自在に取付けられた回動アームにより回動され切換えられる構造であり、排雪板がオーガーハウジングの上方に位置する排雪板被作業状態のとき、左右の回動アームの前方へ向いた端縁部は、オーガーハウジングの左右側板前端部より前方に位置し、回動アームの端縁部外側からオーガーハウジング内側且つ進行方向後方側に向け傾斜している傾斜面を有していることを特徴とした除雪機。
【請求項２】
排雪板被作業状態時の左右回動アームの前方へ向いた端縁が外側からオーガーハウジング内側且つ後方側に向け傾斜した内側の頂部又は端部の左右方向位置は、オーガーハウジングの側板前端縁とほぼ同一又はそれより内側に位置していることを特徴とした請求項1記載の除雪機。
【発明の詳細な説明】
【技術分野】
【０００１】
本発明は、機体の前部に雪の掻き込みオーガーや掻き込んだ雪をブロワーによって投雪する除雪部を設け、除雪部のさらに前方に排雪板を配置可能にした除雪機に関するものである。
【背景技術】
【０００２】
従来、雪の掻き込みオーガーを設けブロワーによって投雪する除雪部を設けた除雪機は公知である。また、除雪部の前方にさらに排雪板を配置できる除雪機も公知となっている。例えば、特開２００７−１２６８６０号公報の「除雪機」や、実開平３−４６５１９号公報の「自走式小型除雪機」が公知である。これらの除雪機は、投雪場所等が十分に確保できる場所での作業には除雪部のブロワーによって投雪し除雪作業を効率よく行うことが可能であり、投雪場所等が十分確保できない場合や積雪量が少ない場合には排雪板により雪を押し出す作業に切換えると効率よく除雪作業が行えるという利点がある。
【先行技術文献】
【特許文献】
【０００３】
【特許文献１】特開２００７−１２６８６０号公報
【特許文献２】実開平３−４６５１９号公報
【発明の概要】
【発明が解決しようとする課題】
【０００４】
前記のようにブロワーによって投雪する除雪部の前方にさらに排雪板を配置できる除雪機によって効率よく作業が可能であるが、排雪板によって雪を押し出すには排雪板に雪の大きな重量が作用することになり、排雪板の雪の受け面であるブレード部をはじめ、除雪機本体側にブレード部を支えるアームの強度が十分確保されている必要がある。このため、ブレードを支えるアームはある程度の強度を持たせた部材や形状に構成されているが、ブロワーによって投雪する除雪作業を行う場合に、掻き込みオーガーが内設されるオーガーハウジングの上方に排雪板を位置させると、ブレード部を支えるアームがオーガーハウジングの左右側方に突設して位置するため、突設部によって除雪されていない雪により進行方向の抵抗が作用することとなり、ブロワーによって投雪する除雪作業時にエンジン等に余分な負荷が作用する問題があった。
このため本発明は、排雪板の強度を充分確保可能で、雪をブロワーによって投雪する除雪作業や排雪板による作業がそれぞれ効率よく行える性能の良い除雪機を提供することを目的とする。
【課題を解決するための手段】
【０００５】
上記課題を解決するために、請求項１記載の除雪機は、前方に向かって開口するオーガーハウジングを設け、オーガーハウジング内の回転するオーガーによって中央部に集雪した雪を、その後方で回転駆動されるブロワーで投雪する除雪部を機体前部に設けた除雪機において、除雪部の前方部に除雪用排雪板が配置可能となっていて、排雪板は、除雪部前方に位置した排雪板作業状態と、オーガーハウジングの上方部に位置する排雪板被作業状態とに切換え可能で、切換は、排雪板から左右それぞれ延設され、オーガーハウジングの左右側板外側部に上下回動自在に取付けられた回動アームにより回動され切換えられる構造であり、排雪板がオーガーハウジングの上方に位置する排雪板被作業状態のとき、左右の回動アームの前方へ向いた端縁部は、オーガーハウジングの左右側板前端部より前方に位置し、回動アームの端縁部外側からオーガーハウジング内側且つ進行方向後方側に向け傾斜している傾斜面を有していることを特徴とした除雪機である。
【０００６】
また、請求項２記載の除雪機は、排雪板被作業状態時の左右回動アームの前方へ向いた端縁が外側からオーガーハウジング内側且つ後方側に向け傾斜した内側の頂部又は端部の左右方向位置は、オーガーハウジングの側板前端縁とほぼ同一又はそれより内側に位置していることを特徴とした除雪機である。
【発明の効果】
【０００７】
本発明によると、オーガーハウジング左右側板の外側に位置して強度を充分確保した構造のブレード部を支える回動アームであっても、左右の回動アームの前方へ向いた端縁が外側からオーガーハウジング内側且つ後方に向け傾斜している傾斜面を有する構造によって、進行方向の回動アームに当接する雪が傾斜面によってオーガーハウジング内に誘導され、進行方向の抵抗が軽減してエンジン等の負荷も軽減され作業が効率よく行える性能の良い除雪機を提供できる。
【図面の簡単な説明】
【０００８】
【図１】本発明の一例を示す歩行型ブレード除雪機の排雪板被作業状態時の左側面図である。
【図２】本発明の一例を示す歩行型ブレード除雪機の排雪板作業状態時の左側面図である。
【図３】本発明の一例を示す歩行型ブレード除雪機の排雪板被作業状態時の進行方向前方から見た作業時の正面図である。
【図４】本発明の歩行型ブレード除雪機の回動アームの断面図である。
【図５】本発明の一例の排雪板の斜視図である。
【図６】本発明の一例の排雪板の断面した側面図である。
【発明を実施するための形態】
【０００９】
実施の一形態を、図１乃至図６に基づいて説明する。
【００１０】
本発明の一例を示す除雪機１は、走行用として機体左右に走行クローラベルト４を設け、これを駆動して前後に走行する。機体前方部に除雪部５を設け、機体後方に機体を操作する操作部３を設け、機体中央部に走行部や除雪部５の動力源であるエンジンを収納したエンジン部２を設けている。
【００１１】
操作部３には、作業者が握って操作するハンドル３０が左右に設けられ、その中央部に機体の各部を作動させるための各操作レバーやスイッチ類が設けられていて、作業者はこれらを操作して除雪作業を行う。
【００１２】
機体前方部に設けた除雪部５は、進行方向と直行する水平回転軸に設けたオーガー５１によって中央部に雪を掻き集め、中央部後方に設けたブロワーで上方に向けたシューター５２より雪を投雪する。投雪する方向はシューター５２を水平回動させて方向を変更できる。また、投雪角度はシューター５２上端部のデフレクター５２０の角度を変更することで可能となっている。オーガー５１は前方部が開口したオーガーハウジング５０により覆われていて、オーガー５１の雪の掻き込みを誘導するとともに、巻き込まれ防止等の安全のため設けられている。
【００１３】
除雪部５前方には、機体を前進させることにより雪を押し出す排雪板６が配設可能で、排雪板６は、除雪部５前方に位置した図２に示す排雪板作業状態と、オーガーハウジング５０の上方部に位置する図１に示す排雪板被作業状態とに切換え可能で、切換は、排雪板６から左右それぞれ延設され、オーガーハウジング５０の左右端部のオーガーハウジング側板５００外側部に上下回動自在に取付けられた回動アーム６０により回動され切換えられる構造となっている。排雪板６がオーガーハウジング５０の上方部に位置する排雪板被作業状態では、除雪部５を駆動し雪を投雪する除雪作業が可能である。
【００１４】
除雪作業は、投雪場所等が十分に確保できる場所での作業には除雪部５のブロワーによって投雪する除雪作業が可能であり、投雪場所等が十分確保できない場合や積雪量が少ない場合には排雪板６により雪を押し出しての作業に切換えると効率よく除雪作業が行える。排雪板６による作業のときは、除雪部５の駆動を停止して行う。
【００１５】
排雪板６は、オーガーハウジング５０の幅よりも広く、雪を押すための断面が後方に向け膨らんだ弓形の形状のブレード６１と、ブレード６１下方端部に設けられ雪を掻き込むスクレ−パー６２と、ブレード６１の側方端から雪が漏れないように設けたブレード側板６３と、排雪板６を上下回動自在に除雪部５に連結している回動アーム６０と、回動アーム６０をオーガーハウジング５０に保持するためのサポートアーム６４で構成されている。
【００１６】
回動アーム６０は、ブレード６１後面部からオーガーハウジング５０の左右側方のオーガーハウジング側板５００外側部にそれぞれ延設され、サポートアーム６４を介してオーガーハウジング側板５００外側部に回動自在に取付けられる。図６は、ブレード６１が前方に位置する排雪板作業状態の断面図を示したもので、本例における回動アーム６０は、板金製で側面視上方に角部を有する略不等辺三角形状となっていて、前方角部にブレード６１の後面部が固着され、前方から上方に伸びた上辺と後方側の辺の一部は内方にＬ状に折り曲げられて剛性を持たせている。下方辺部は板の端面が下方を向いた切りっぱなし状態である。下方辺部は、排雪板６が排雪板被作業状態のとき、上方に回動されて進行方向の前方を向いた状態となり、オーガーハウジング５０のオーガーハウジング側板５００の前方端縁より前方に位置する。
【００１７】
下方辺部近傍の内側面には図４に示す断面形状の補強材６０２が溶接等により固着し設けられていて、補強材６０２は、排雪板６が排雪板被作業状態のとき回動アーム６０の端部である端縁６００近傍からオーガーハウジング５０の内側且つ進行方向後方側に向け傾斜している傾斜面６０１を有している。傾斜面６０１は、排雪板６が排雪板被作業状態のとき、回動アーム６０の内側面からオーガーハウジング５０のオーガーハウジング側板５００の前方端縁部に向け傾斜して延設され、頂部又は端部はその近傍又はオーガーハウジング側板５００より内側に位置する。本例においては、オーガーハウジング側板５００に段差があるため、その端縁部に沿った形状に傾斜面６０１頂部が２段に設けられている。補強材６０２は鉄板製でその断面は、傾斜面６０１の頂部から回動アーム６０側に曲げられた断面Ｖ字状となっている。
【００１８】
排雪板被作業状態で除雪部５により除雪作業を行う場合は、オーガーハウジング５０の左右オーガーハウジング側板５００より左右外側にそれぞれ回動アーム６０が突設した状態となり、図３に示す斜線部Ａの突設部が未除雪部の雪Ｓに当接し進行方向の抵抗となる。しかし、本例の回動アーム６０の進行方向に向かう端縁６００部に設けた補強材６０２が前記傾斜面６０１を有しているため、当接した雪が斜面によってオーガーハウジング５０内に誘導され、進行方向の抵抗が軽減される。
【００１９】
回動アーム６０は、回動アーム６０の側面視略不等辺三角形状の上方角部近傍に設けられ、進行方向と直行する水平方向の回動軸である回動アーム回動支点６５によって上下に回動自在に保持される。回動アーム回動支点６５は、オーガーハウジング５０の左右側方のオーガーハウジング側板５００外側部に設けられオーガー５１回転軸のベアリング保持部と共締めして保持されたサポートアーム６４のオーガー５１回転軸中心より後方の上方にオフセットした位置に設けられ連結されている。
【００２０】
サポートアーム６４は、オーガー５１回転軸のベアリング保持部と共締めするためのボルト孔を有した円形の取付座６４１と回動アーム回動支点６５の円弧状外周とを接線で結んだ卵状で、ブレード６１が前方に位置する排雪板作業状態のとき回動アーム６０の上面の折り曲げ部が当接して下方への回動を規制する板状のストッパー６４０が上面の一部に固着されていて、排雪板６の下方への食い込み量を一定に保持する。
【００２１】
排雪板６が排雪板被作業状態のときは、回動アーム６０の上面の折り曲げ部に上方を向いて設けたストッパーピン６６がオーガーハウジング５０側に設けたストッパーブラケット５３の係合孔に嵌合され、ストッパーピン６６に設けたピン孔に抜け止めピン（図示せず）を差し込んで保持される。排雪板６の上下の回動は、左右のブレード側板６３の上方部に設けた取手部６３０を把持して回動させる。
【００２２】
前方部に位置する雪の押し出し部は、雪を押し出すメインのブレード６１と、その下端部に位置するスクレーパー６２と、左右側部に位置してブレード６１で押出す雪を側方に逃がさないためのブレード側板６３で構成されている。ブレード６１は、前方に開口部を向けた弓形でオーガーハウジング５０の外端と同等又はこれより幅が広く設けられている。ブレード６１の下方端部にはブレード６１のほぼ全幅にわたってスクレーパー６２が取付けられている。スクレーパー６２は前端部から後方に向け鋭角に傾斜していてブレード６１を雪面に押し付けて食込ませるためのもので、前進することにより雪をブレード６１の前面の凹部面に沿って誘導して上昇させ前方に湾曲した上方部から前方に順次落とし込んで集めていく。
【００２３】
本例の除雪機１によって除雪作業を行うには、比較的積雪量の多い場合は除雪部５を駆動して雪を投雪して除雪を行う。この場合、排雪板６はオーガーハウジング５０上方に回動され、回動アーム６０のストッパーピン６６をストッパーブラケット５３の係合孔に嵌合させ抜け止めピンを差し込んで保持させる。オーガーハウジング側板５００外側部に突設して設けられた回動アーム６０の前方端部は、傾斜面６０１を有している補強材６０２が設けられているため、当接した雪が斜面によってオーガーハウジング５０内に誘導され、除雪部５により投雪される。これによって進行方向の抵抗が軽減されるので、エンジン等の負荷も軽減され作業が効率よく行える。
【００２４】
比較的積雪量が少ない場合や投雪場所が無い場合等のときは除雪部５を駆動せずに、排雪板６によって雪を押し出して除雪を行う。排雪板６を使用するときは、ブレード側板６３の取手部６３０を持ってストッパーピン６６の係合を解除して、オーガーハウジング５０上方から回動させ除雪部５前方部に位置させる。走行部を駆動して前進させると、排雪板６のスクレーパー６２によって掻き出された雪がブレード６１に沿ってせり上がり、上方部から前方に落とされブレード６１部前方に順次雪が盛り上げられ除雪を行うことができる。
【産業上の利用可能性】
【００２５】
本発明は、クローラベルトやタイヤ等による走行部を有し、機体の前部に雪の掻き込みオーガーや掻き込んだ雪をブロワーによって投雪する除雪部を設け、除雪部のさらに前方に排雪板を配置可能にした除雪機に適用できる。
【符号の説明】
【００２６】
１    除雪機
２    エンジン部
３    操作部
３０    ハンドル
４    走行クローラベルト
５    除雪部
５０    オーガーハウジング
５００  オーガーハウジング側板
５１    オーガー
５２    シューター
５２０  デフレクター
５３    ストッパーブラケット
６    排雪板
６０    回動アーム
６００  端縁
６０１  傾斜面
６０２  補強材
６１    ブレード
６２    スクレーパー
６３    ブレード側板
６３０  取手部
６４    サポートアーム
６４０  ストッパー
６４１  取付座
６５    回動アーム回動支点
６６    ストッパーピン
Ｓ    雪
【図１】
2015187340.tif 000003
【図２】
2015187340.tif 000004
【図３】
2015187340.tif 000005
【図４】
2015187340.tif 000006
【図５】
2015187340.tif 000007
【図６】
2015187340.tif 000008